(57)【要約】【課題】多様な機種の携帯機器に汎用でき、携帯機器を保護するとともに携帯機器のスタンド機能を有する多様な機種の携帯機器に使用可能なスタンド兼用ケースを提供すること。【解決手段】本発明の一実施形態に係る多様な機種の携帯機器に使用可能なスタンド兼用ケース は、携帯機器の画面部を保護する前面カバーと、該前面カバーに連結されて携帯機器の背面を保護し、内面の一側に連結部材が少なくとも一つ以上固定設置された背面カバーと、前記背面カバーが外側に折り曲がるように形成され、前記背面カバーを台部と支持部とに分割する折曲部と、前記背面カバーの連結部材が挿入されてスライド移動するためのガイド溝が背面に形成され、前面に携帯機器が取り付けられる台板とを備える。【選択図】図２
2017153059.tif 000002
【特許請求の範囲】
【請求項１】
携帯機器の画面部を保護する前面カバーと、
前記前面カバーに連結され、携帯機器の背面を保護する背面カバーと、
前記背面カバーが外側に折れ曲がるように形成され、前記背面カバーを台部と支持部とに分割する折曲部と、
前面に携帯機器が取り付けられる台板と、
前記背面カバーと前記台板とを結合する連結部材と、
前記連結部材が挿入されてスライド移動可能なガイド溝とを備えることを特徴とする、多様な機種の携帯機器に使用可能なスタンド兼用ケース。
【請求項２】
前記台板は取り付けられている携帯機器のバックカメラの視界を妨げないことを特徴とする、請求項１に記載の多様な機種の携帯機器に使用可能なスタンド兼用ケース。
【請求項３】
前記台板の前面に携帯機器を取り付けるための接着板が形成されることを特徴とする、請求項１に記載の多様な機種の携帯機器に使用可能なスタンド兼用ケース。
【請求項４】
前記ガイド溝は、前記台板または前記背面カバーに形成されることを特徴とする、請求項１に記載の多様な機種の携帯機器に使用可能なスタンド兼用ケース。
【請求項５】
前記連結部材は縦方向に一列に複数配設されることを特徴とする、請求項１に記載の多様な機種の携帯機器に使用可能なスタンド兼用ケース。
【請求項６】
前記連結部材は長方形に形成されることを特徴とする、請求項１に記載の多様な機種の携帯機器に使用可能なスタンド兼用ケース。
【発明の詳細な説明】
【技術分野】
【０００１】
本発明は多様な機種の携帯機器に使用可能なスタンド兼用ケースに係り、さらに詳しくは、携帯機器ケースと携帯機器スタンドの両方の役割を果たすことができる多様な機種の携帯機器に使用可能なスタンド兼用ケースに関する。
【背景技術】
【０００２】
近来、スマートフォンやスマートパッドなどの携帯機器が広く普及し、比較的高価な携帯機器を保護するためにケースをつけることが多くなってきている。
【０００３】
これらの携帯機器ケースに係る関連技術は、韓国公開特許第１０‐２０１４‐００５９８８５号の「収納ケースの付着が容易な携帯機器カバー」に開示されているが、この従来技術は折畳み式カバーと、前記カバーの内面に着脱自在に付着させ、内部に携帯機器を収納する収納ケースを備える携帯機器カバーにおいて、前記カバーは内側面に第１結合部材が設けられ、前記収納ケースには前記第１結合部材と結合される第２結合部材が設けられ、前記第１結合部材及び第２結合部材はそれぞれ、上・下・左・右に４個が形成されていることを特徴とする収納ケースの付着が容易な携帯機器カバーである。
【０００４】
前記従来技術は、携帯機器の機種によってカメラ穴の位置、ボタンの位置やフレームの形を全て変えて製作しなければならない不都合があった。
【０００５】
また、携帯機器の画面が大きくなってきたことから、携帯機器でテレビや動画を視聴することが増えており、このため、携帯機器を立てられるスタンドを使用することが多くなった。
【０００６】
前記従来技術においては、携帯機器を保護する役割をすることはできるが、携帯機器のスタンド機能はなかったため、携帯機器ケースと携帯機器スタンドを別途購入しなければならないという問題点があった。
【先行技術文献】
【特許文献】
【０００７】
【特許文献１】韓国公開特許公報第１０‐２０１４‐００５９８８５号
【発明の概要】
【発明が解決しようとする課題】
【０００８】
本発明は、上述した問題点を解決して改善するためのものであり、その課題は、多様な機種の携帯機器に汎用でき、携帯機器を保護するとともに携帯機器のスタンド機能を有する多様な機種の携帯機器に使用可能なスタンド兼用ケースを提供することである。
【課題を解決するための手段】
【０００９】
本発明は、携帯機器の画面部を保護する前面カバーと、該前面カバーに連結されて携帯機器の背面を保護し、内面の一側に連結部材が少なくとも一つ以上固定設置された背面カバーと、前記背面カバーが外側に折れ曲がるように形成し、前記背面カバーを台部と支持部とに分割する折曲部と、前記背面カバーの連結部材が挿入されてスライド移動するガイド溝が背面に形成され、前面に携帯機器が取り付けられる台板とを備えることを特徴とする多様な機種の携帯機器に使用可能なスタンド兼用ケースによって達成される。
【００１０】
本発明の好ましい特徴によれば、前記台板は取り付けられている携帯機器のバックカメラの視界を妨げない。
【００１１】
本発明の好ましい特徴によれば、前記台板の前面には携帯機器を取り付けるための接着板が形成される。
【発明の効果】
【００１２】
本発明の一実施形態による多様な機種の携帯機器に使用可能なスタンド兼用ケースは、多様な機種の携帯機器に装着することができ、また、携帯機器を保護するとともに携帯機器のスタンド機能を有する。
【００１３】
また、背面カバーにカメラ穴を穿孔することなく、携帯機器の背面を露出させて携帯機器のバックカメラを使うことによって、多様な機種の携帯機器に適用することができ、携帯機器の背面を完全に保護することができる。
【図面の簡単な説明】
【００１４】
【図１】本発明の一実施形態による多様な機種の携帯機器に使用可能なスタンド兼用ケースの斜視図である。
【図２】本発明の一実施形態による多様な機種の携帯機器に使用可能なスタンド兼用ケースの分解斜視図である。
【図３】本発明の一実施形態による多様な機種の携帯機器に使用可能なスタンド兼用ケースの平面図である。
【図４】本発明の一実施形態による多様な機種の携帯機器に使用可能なスタンド兼用ケースの底面図である。
【図５】本発明の一実施形態による多様な機種の携帯機器に使用可能なスタンド兼用ケースで携帯機器を据え置いた状態を示した斜視図である。
【図６】本発明の一実施形態による多様な機種の携帯機器に使用可能なスタンド兼用ケースで携帯機器を縦方向に据え置いた状態を示した斜視図である。
【発明を実施するための形態】
【００１５】
以下、本発明の好ましい実施形態を添付図面に基づいて詳細に説明すると、次のとおりである。 
【００１６】
これは、本発明が属する技術分野で通常の知識を有する者が発明を容易に実施できる程度に詳細に説明するためのものであり、これによって本発明の技術的な思想や範疇が限定されることを意味するものではない。
【００１７】
また、図に示した構成要素の大きさや形状等は、説明の明瞭性と便宜上、誇張して図示していると言える共に、本発明の構成及び作用を考慮して特に定義された用語は使用者、運用者の意図または慣例によって異なることがあり、これらの用語の定義については、本明細書全般にわたる内容に基づいてなされなければならない。 
【００１８】
本発明の一実施形態による多様な機種の携帯機器に使用可能なスタンド兼用ケース（以下、 携帯機器スタンド兼用ケースという）１は、携帯機器の画面部を保護する前面カバー１０と、前記前面カバー１０に連結され、携帯機器の背面を保護する背面カバー２０と、前記背面カバー２０が外側に折れ曲がるように形成され、前記背面カバー２０を台部２１ａと支持部２１ｂとに分割する折曲部２３と、前面に携帯機器が取り付けられる台板３０と、前記背面カバー２０と台板３０とを結合する連結部材２５と、前記連結部材２５が挿入されてスライド移動可能なガイド溝３１と、を備える。
【００１９】
ここで前面カバー１０と背面カバー２０は、携帯機器の前面である画面部と背面を保護するもので、折り曲げたときに前記前面カバー１０と背面カバー２０が重なることになる。合成皮革、皮革、プラスチックなどのさまざまな素材で形成されことができるが、本発明の一実施形態によれば、前面カバー１０と背面カバー２０の外側面は合成皮革で一体に形成され、前記合皮皮革の内側には前記前面カバー１０部分に第１固定板１１が結合し、前記背面カバー２０部分に第２固定板２１が結合することによって合成皮革の形状をしっかり維持できるようにし、前記合成皮革の最も内側には人工スウェード素材の柔らかい合成皮革を重ねて結合する。このとき、前記前面カバー１０と背面カバー２０とが折り畳まれ易いように前記第１固定板１１と第２固定板２１との間は携帯機器の厚さ分の間隔を空けて形成されることが望ましい。
【００２０】
前記背面カバー２０には折曲部２３が形成されており、この折曲部２３は、前記背面カバー２０が外側に折れ曲がって携帯機器が取り付けられる台板３０を立てるためのもので、前記折曲部２３によって前記背面カバー２０は台部２１ａと支持部２１ｂとに分割される。前記台部２１ａは、前記折曲部２３により外側に折れ曲がる部分であり、前記台部２１ａに前記連結部材２５が設けられる。
【００２１】
また、本発明の一実施形態による背面カバー２０に形成された第２固定板２１は、台部２１ａと支持部２１ｂとに分割されて形成される。つまり、前記折曲部２３には第２固定板２１が位置しないようにして前記背面カバー２０が容易に折り曲がるようにする。
【００２２】
前記背面カバー２０に結合される台板３０は、携帯機器が取り付けられる部分であって、縦方向に移動可能である。この台板３０は、携帯機器のバックカメラの視界を妨げないように前記背面カバー２０より１／２ないし３／４の高さに形成されることが好ましいが、これは台板のサイズが多様な携帯機器の機種に汎用的に適用されるようにして、前記台板３０を縦方向に移動させることによって前記携帯機器のバックカメラを背面カバーの外側に露出させ、前記携帯機器のバックカメラを使用するようにするためである。
【００２３】
従来は、背面カバーを携帯機器のバックカメラの位置に合わせて穿孔して機種ごとに異なるケースを生産したが、本発明の一実施形態によれば、台板３０が昇降することによって、バックカメラを背面カバーの上部に露出させて使用することができるのでカメラ穴がない背面カバーを製作することができ、これにより、ケースを多様な携帯機器に適用させて使用できる。
【００２４】
図２を参照すると、この台板３０の背面に前記連結部材２５が挿入されるガイド溝３１が縦方向に形成され、前記ガイド溝３１に前記第１部材２５ａが挿入され、背面カバー２０に設けられた第２部材２５ｂと嵌合することによって、前記台板３０は前記第１、２部材２５ａ、２５ｂを基準にして前記ガイド溝３１に沿って縦方向に移動するものと図示しているが、本発明はこれに限定されず、具体的に図示していないが、背面カバーにガイド溝が形成されて台板に連結部材が固定されるように形成する構成も含む。
【００２５】
前記背面カバー２０の内面には、一側に少なくとも一つ以上の連結部材２５が設置され、この連結部材２５は前記台板３０を取り付けるためのものとして一側に設置され、本発明の一実施形態によると、一側に縦方向一列に複数設置されるが、これは連結部材を中心に台板が回転することを防ぎ、一直線上に移動するようにするためのものである。
【００２６】
前記の連結部材２５はさまざまな素材と形で形成されることができるが、本発明の一実施形態によれば、前記連結部材２５は、円盤の中央に突起が突出形成された第１部材２５ａと円盤の中央に前記突起が挿入される溝部が突出形成された第２部材２５ｂとから形成され、前記第１部材２５ａは前記台板のガイド溝３１に挿入され、前記第２部材２５ｂは前記背面カバーに挿入され、前記第１部材２５ａの突起と前記第２部材２５ｂの溝部とが互いに嵌合することになる。
【００２７】
また、図示していないが、前記連結部材が長方形に形成されるものを含む。この場合、連結部材が単数で嵌合されたとしても台板が回転せずに一直線上に移動することが可能である。
【００２８】
また、前記連結部材２５は第１部材と第２部材が互いに着脱可能に製作されてもよい。
【００２９】
また、前記台板３０に前記携帯機器を様々な方法で取り付けることができるが、本発明の一実施形態によると、両面テープのように両面に接着剤が塗布された接着板３３により携帯機器を取り付ける。
【００３０】
本発明の一実施形態による携帯機器スタンド兼用ケース１の使用方法について説明する。
前記台板３０の接着板３３に携帯機器を付着させる。普段は携帯機器の前面部を前面カバー１０により覆って保護する。
【００３１】
携帯機器のバックカメラを使用する際、前記台板３０を上方移動させてバックカメラを背面カバーの外側に露出させる。
【００３２】
携帯機器を立たせて動画を視聴する場合、前面カバー２０の外側が接地するように位置させ、前記背面カバーの折曲部２３を外側に折り曲げて前記台板が前記台部２１ａに寄りかかって立つようにする。
【００３３】
また、前記連結部材が着脱可能な場合、図６に示すように、前記多数個の連結部材２５のうち一つだけを取り付け、残りの連結部材２５の取り付けを解除し、前記台板３０を９０度の角度で回動させた後、前記折曲部２３を折り曲げて前記台板３０が立つようにして携帯機器を縦方向に据え置くことができる。
【００３４】
上述したとおり、本発明の一実施形態による携帯機器スタンド兼用ケース１は、携帯機器を保護する機能に併せて携帯機器のスタンド機能を有し、前記台板３０が上方にスライド移動可能であることにより、携帯機器の背面に形成されたバックカメラの機能を使用でき、背面カバー２０にカメラ穴が形成されていないことにより、携帯機器の背面を完全に保護することができる。
【符号の説明】
【００３５】
１    携帯機器スタンド兼用ケース
１０  前面カバー
１１  第１固定板
２０  背面カバー
２１  第２固定板
２１ａ  台部
２１ｂ  支持部
２３  折曲部
２５  連結部材
２５ａ  第１部材
２５ｂ  第２部材
３０  台板
３１  ガイド溝
３３  接着板
【図１】
2017153059.tif 000003
【図２】
2017153059.tif 000004
【図３】
2017153059.tif 000005
【図４】
2017153059.tif 000006
【図５】
2017153059.tif 000007
【図６】
2017153059.tif 000008